【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
回路交換（ＣＳ）ネットワーク（１０６）およびインターネットプロトコル（ＩＰ）マルチメディアサブシステム（ＩＭＳ）ネットワーク（１１２）を含むネットワーク環境（１００）におけるセッション開始プロトコル（ＳＩＰ）コールをルーティングすることに使用する方法であって、該ＳＩＰコールは、該ＣＳネットワークにおいて、モバイル通信デバイス（３０２）によって、ＳＩＰユニフォームリソースインジケータ（ＵＲＩ）またはＴｅｌ  ＵＲＩによって識別されたコールされたパーティに向けて開始され、該方法は、
該ＳＩＰコールに対するモバイル開始コール要求を識別することに応答して、該ＳＩＰコールに関するコール情報を有するＳＩＰ招待メッセージ（３１２）が、該ＩＭＳネットワーク（１１２、３０８）に送信されるようにする動作であって、該コール情報は、該ＳＩＰコールに関するコール参照番号と該コールされたパーティの該ＵＲＩとのうちの少なくとも１つを含んでいる、動作と、
該ＳＩＰ招待メッセージ（３１２）を送信することに応答して、該ＩＭＳネットワーク（１１２、３０８）からＳＩＰ３８０（代替サービス）応答メッセージ（３１６）を受信する動作であって、該ＳＩＰ３８０（代替サービス）応答メッセージ（３１６）は、コール参照番号とＥ．１６４番号とのうちの少なくとも１つを含んでいる、動作と、
該ＩＭＳネットワーク（１１２、３０８）から返された該コール参照番号が依然として有効であることを検証する動作（２０６）と、
該ＳＩＰ３８０（代替サービス）応答メッセージ（３１６）を受信した後に、かつ、該返された該コール参照番号が依然として有効であることを検証した（２０６）後に、ＣＳコール設定メッセージ（３０２）が、該ＳＩＰコールのために該ＩＭＳネットワーク（１１２、３０８）に送信されるようにする動作であって、該ＣＳコール設定メッセージ（３２０）は、該ＳＩＰコールを該コールされたパーティにルーティングするために、該Ｅ．１６４番号を含んでいる、動作と
を包含する、方法。
【請求項２】
ＳＩＰ招待メッセージ（３１２）のＴＡＲＧＥＴフィールドを前記コールされたパーティの前記ＵＲＩで占めることをさらに包含する、請求項１に記載の方法。
【請求項３】
前記ＳＩＰ招待メッセージ（３１２）のＵＲＩフィールドを前記ＩＭＳネットワーク（１１２、３０８）のアプリケーションサーバ（ＡＳ）ノードのパブリックサービス識別子（ＰＳＩ）で占めることをさらに包含する、請求項１に記載の方法。
【請求項４】
前記ＳＩＰ招待メッセージ（３１２）が前記モバイル通信デバイス（３０２）からの回路交換、モバイル開始コールに関するかどうかを示すインジケータフィールドで、該ＳＩＰ招待メッセージ（３１２）を占めることをさらに包含する、請求項１に記載の方法。
【請求項５】
前記コールされたパーティの前記ＵＲＩを含む前記モバイル開始コール要求を識別する前記動作は、前記モバイル通信デバイス（３０２）のユーザインターフェースにおいて前記ＵＲＩの選択を受信することを包含する、請求項１に記載の方法。
【請求項６】
前記Ｅ．１６４番号は、前記ＩＭＳネットワーク（１１２、３０８）におけるＥ．１６４番号のプールから動的に選択されたＥ．１６４番号であり、かつ、該ＩＭＳネットワーク（１１２、３０８）において前記ＵＲＩにマッピングされる、請求項１に記載の方法。
【請求項７】
前記方法は、コンピュータプログラム製品において実現されており、該コンピュータプログラム製品は、コンピュータで読取可能なメディアおよび該コンピュータで読取可能なメディア内に格納されたコンピュータの命令を備えており、該コンピュータの命令は、該方法を実行するために、前記モバイル通信デバイス（３０２）の１つ以上のプロセッサ（４０２）によって実行可能である、請求項１に記載の方法。
【請求項８】
回路交換（ＣＳ）ネットワーク（１０６）およびインターネットプロトコル（ＩＰ）マルチメディアサブシステム（ＩＭＳ）ネットワーク（１１２、３０８）を含むネットワーク環境（１００）において、ＳＩＰコールを開始するために動作可能なモバイル通信デバイス（３０２）であって、該コールは、ＳＩＰユニフォームリソースインジケータ（ＵＲＩ）またはＴｅｌ  ＵＲＩによって識別されたコールされたパーティに向けられ、該モバイル通信デバイス（３０２）は、
１つ以上のプロセッサ（４０２）と、
該１つ以上のプロセッサ（４０２）と結合されたワイヤレストランシーバ（４０４）と
を備え、該ワイヤレストランシーバ（４０４）は、該ＣＳネットワーク（１０６）を介した通信のために適合され、該１つ以上のプロセッサ（４０２）は、
該ＳＩＰコールに対するモバイル開始コール要求を識別することに応答して、該ＳＩＰコールに関するコール情報を有するＳＩＰ招待メッセージ（３１２）が、該ワイヤレストランシーバ（４０４）および該ＣＳネットワーク（１０６）を介して、該ＩＭＳネットワーク（１１２、３０８）に送信されるようにすることであって、該コール情報は、該ＳＩＰコールに関するコール参照番号と該コールされたパーティの該ＵＲＩとのうちの少なくとも１つを含んでいる、ことと、
該ＳＩＰ招待メッセージ（３１２）を送信することに応答して、該ワイヤレストランシーバ（４０４）および該ＣＳネットワーク（１０６）を介して、該ＩＭＳネットワーク（１１２、３０８）からＳＩＰ３８０（代替サービス）応答メッセージ（３１６）を受信することであって、該ＳＩＰ３８０（代替サービス）応答メッセージ（３１６）は、コール参照番号とＥ．１６４番号とのうちの少なくとも１つを含んでいる、ことと、
該ＩＭＳネットワーク（１１２、３０８）から返された該コール参照番号が依然として有効であることを検証すること（２０６）と、
該ＳＩＰ３８０（代替サービス）応答メッセージ（３１６）を受信した後に、かつ、該返された該コール参照番号が依然として有効であることを検証した（２０６）後に、ＣＳコール設定メッセージ（３０２）が、該ワイヤレストランシーバ（４０４）および該ＣＳネットワーク（１０６）を介して、該ＳＩＰコールのために該ＩＭＳネットワーク（１１２、３０８）に伝達されるようにすることであって、該ＣＳコール設定メッセージ（３２０）は、該ＳＩＰコールを該コールされたパーティにルーティングするために、該Ｅ．１６４番号を含んでいる、ことと
に適合されている、モバイル通信デバイス（３０２）。
【請求項９】
前記１つ以上のプロセッサ（４０２）は、前記コールされたパーティの前記ＵＲＩで、前記ＳＩＰ招待メッセージ（３１２）のＴＡＲＧＥＴフィールドを占めるようにさらに動作可能である、請求項８に記載のモバイル通信デバイス（３０２）。
【請求項１０】
前記１つ以上のプロセッサ（４０２）は、前記ＳＩＰ招待メッセージ（３１２）のＵＲＩフィールドを前記ＩＭＳネットワーク（１１２、３０８）のアプリケーションサーバ（ＡＳ）ノードのパブリックサービス識別子（ＰＳＩ）で占めるようにさらに動作可能である、請求項８に記載のモバイル通信デバイス（３０２）。
【請求項１１】
前記１つ以上のプロセッサ（４０２）は、前記ＳＩＰ招待メッセージ（３１２）が前記モバイル通信デバイス（３０２）からの回路交換、モバイル開始コールに関するかどうかを示すインジケータフィールドで、該ＳＩＰ招待メッセージ（３１２）を占めるようにさらに動作可能である、請求項８に記載のモバイル通信デバイス（３０２）。
【請求項１２】
前記１つ以上のプロセッサ（４０２）は、前記ＳＩＰ招待メッセージ（３１２）が、前記ワイヤレスデバイス（３０２）においてユーザ開始コール要求を検出することに応答して送信されるように動作可能であり、該コール要求は、前記コールされたパーティの前記ＵＲＩを含んでいる、請求項８に記載のモバイル通信デバイス（３０２）。
【請求項１３】
回路交換（ＣＳ）ネットワーク（１０６）およびインターネットプロトコル（ＩＰ）マルチメディアサブシステム（ＩＭＳ）ネットワーク（１１２）を含むネットワーク環境（１００）におけるセッション開始プロトコル（ＳＩＰ）コールを遂行するために、アプリケーションサーバ（ＡＳ）ノード（３０８）を用いて動作可能な方法であって、該ＳＩＰコールは、ＳＩＰユニフォームリソースインジケータ（ＵＲＩ）またはＴｅｌ  ＵＲＩによって識別されたコールされたパーティに向けられ、該方法は、
該ＣＳネットワーク（１０６）を通じてモバイル通信デバイス（３０２）から開始するＳＩＰコールに関するＳＩＰ招待メッセージ（３１２）を受信する動作であって、該ＳＩＰ招待メッセージ（３１２）は、該コールされたパーティの該ＵＲＩを含むコール情報を有している、動作と、
該ＳＩＰコールに関するＥ．１６４番号と該コール情報との間でマッピングする動作（２０４）と、
該ＳＩＰ招待メッセージ（３１２）を受信することに応答して、ＳＩＰ３８０（代替サービス）応答メッセージ（３１６）が、該モバイル通信デバイス（３０２）に送信されるようにする動作であって、該ＳＩＰ３８０（代替サービス）応答メッセージ（３１６）は、該Ｅ．１６４番号を有している、動作と、
該ＳＩＰ３８０（代替サービス）応答メッセージ（３１６）の該送信の後に、該ＳＩＰコールに関して、該モバイル通信デバイス（３０２）からＣＳコール設定メッセージ（３２０）を受信する動作であって、該ＣＳコール設定メッセージ（３２０）は、該Ｅ．１６４番号を有している、動作と、
該モバイル通信デバイス（３０２）から受信された該Ｅ．１６４番号が依然として有効であることを検証する動作（２１０）と、
該マッピングを介して受信された該Ｅ．１６４番号の使用によって、該ＣＳコール設定メッセージ（３２０）から識別された該ＵＲＩを識別する動作（２１２）と、
該コールされたパーティを有するＳＩＰセッション（２１２）が、該マッピングを介して識別された該ＵＲＩの使用によって確立されるようにする動作と
を包含する、方法。
【請求項１４】
ＳＩＰ招待メッセージ（３１２）のＴＡＲＧＥＴフィールドを前記コールされたパーティの前記ＵＲＩで識別することをさらに包含する、請求項１３に記載の方法。
【請求項１５】
前記ＳＩＰ招待メッセージ（３１２）のＵＲＩフィールドは、前記ＩＭＳネットワーク（１１２）の前記ＡＳノード（３０２）のパブリックサービス識別子（ＰＳＩ）で占められる、請求項１３に記載の方法。
【請求項１６】
前記ＳＩＰ招待メッセージ（３１２）におけるインジケータフィールドにおけるインジケータを読み取ることと、
該インジケータが、該モバイル通信デバイス（３０２）からの回路交換、モバイル開始コールを示すように設定されるかどうかを識別することと、
該インジケータが、該回路交換、モバイル開始コールを示すように設定される場合に、該Ｅ．１６４番号を選択する次の動作を実行し、該マッピングを格納し、ＳＩＰ３８０（代替サービス）応答メッセージ（３１６）が、該モバイル通信デバイス（３０２）に送信されるようにすることと、
または該インジケータが、該回路交換、モバイル開始コールを示すように設定されない場合に、次の動作を実行することを避けることと
をさらに包含する、請求項１３に記載の方法。
【請求項１７】
回路交換（ＣＳ）ネットワーク（１０６）を含むネットワーク環境（１００）において、モバイル通信デバイス（３０２）によって開始されたセッション開始プロトコル（ＳＩＰ）コールを遂行するインターネットプロトコル（ＩＰ）マルチメディアサブシステム（ＩＭＳ）ネットワーク（１１２）において使用するアプリケーションサーバ（ＡＳ）ノード（３０８）であって、該コールは、ＳＩＰユニフォームリソースインジケータ（ＵＲＩ）またはＴｅｌ  ＵＲＩによって識別されたコールされたパーティに向けられ、該ＡＳノード（３０２）は、１つ以上のプロセッサを備えており、該プロセッサは、
該ＣＳネットワーク（１０６）を介して該モバイル通信デバイス（３０２）から開始する該ＳＩＰコールに関するＳＩＰ招待メッセージ（３１２）を受信することであって、該ＳＩＰ招待メッセージ（３１２）は、該コールされたパーティの該ＵＲＩを含むコール情報を有している、ことと；該ＳＩＰコールに関するＥ．１６４番号と該コール情報との間のマッピングを格納すること（２０４）と；該ＳＩＰ招待メッセージ（３１２）を受信することに応答して、ＳＩＰ３８０（代替サービス）応答メッセージ（３１６）が、該モバイル通信デバイス（３０２）に送信されるようにすることであって、該ＳＩＰ３８０（代替サービス）メッセージ（３１６）は、該Ｅ．１６４番号を含んでいる、ことと；該ＳＩＰ３８０（代替サービス）応答メッセージ（３１６）の該送信の後に、該ＳＩＰコールに関して、該モバイル通信デバイス（３０２）からＣＳコール設定メッセージ（３２０）を受信することであって、該ＣＳコール設定メッセージ（３２０）は、該Ｅ．１６４番号を有している、ことと；該モバイル通信デバイス（３０２）から受信された該Ｅ．１６４番号が依然として有効であることを検証すること（２１０）と；該格納されたマッピングを介した該選択されたＥ．１６４番号の使用によって、該コール設定メッセージ（３２０）から識別された該ＵＲＩを識別すること（２１２）と；該コールされたパーティを有するＳＩＰセッションが、該格納されたマッピングを介して識別された該ＵＲＩの使用によって確立されるようにすること（２１２）とに適合されている、ＡＳノード（３０８）。
【請求項１８】
前記１つ以上のプロセッサは、ＳＩＰ招待メッセージ（３１２）のＴＡＲＧＥＴフィールドを前記コールされたパーティの前記ＵＲＩで識別するようにさらに適合されている、請求項１７に記載のＡＳノード（３０８）。
【請求項１９】
前記１つ以上のプロセッサは、前記プールから前記Ｅ．１６４番号を動的に割り当てることによって、該Ｅ．１６４番号を選択するようにさらに適合されている、請求項１７に記載のＡＳノード（３０８）。
【請求項２０】
前記１つ以上のプロセッサは、前記ＳＩＰ招待メッセージ（３１２）におけるインジケータフィールドにおけるインジケータを読み取ることと；該インジケータが、該モバイル通信デバイス（３０２）からの回路交換、モバイル開始コールを示すように設定されているかどうかを識別することと；該インジケータが、該回路交換、モバイル開始コールを示すように設定される場合に、該Ｅ．１６４番号を選択する次の動作を実行し、該マッピングを格納し、ＳＩＰ３８０（代替サービス）応答メッセージ（３１６）が、該モバイル通信デバイス（３０２）に送信されるようにすることと；または該インジケータが、該回路交換、モバイル開始コールを示すように設定されない場合に、次の動作を実行することを避けるようにすることとにさらに適合されている、請求項１７に記載のＡＳノード（３０８）。